(57)【要約】  【課題】踏み板の段鼻部に設けられた立上り部の寸法に拘わらず、立上り部を作らないように養生が可能であるとともに、廃材を無くしかつ他の建設現場でも再利用が可能な鉄骨階段の踏み板養生材を得る。  【解決手段】踏み板３の少なくとも段鼻部に長手方向に沿って上方側に起立する立上り部６が設けられ、蹴込み板５、踏み面４及び前記立上り部６によって構成される凹部３ａ内にコンクリート又はモルタルが打設されることにより仕上げられる鉄骨階段１のための踏み板養生材７であって、前記踏み板養生材７は、前記踏み板３を覆う踏み板カバー部８と、前記立上り部６に対応して前記踏み板カバー部８の段鼻側縁部に設けられるとともに、対峙する２つの垂下片９ａ、９ｂからなる前記立上り部６の係合挿入部９と、前記踏み板カバー部８の蹴込み側縁部に設けられた脚用垂下片部１０とからなる。【選択図】図２
2006063598.tif 000002
【特許請求の範囲】
【請求項１】
踏み面の少なくとも段鼻部に長手方向に沿って上方側に起立する立上り部が設けられ、蹴込み板、踏み面及び前記立上り部によって構成される凹部内にコンクリート又はモルタルが打設されることにより仕上げられる鉄骨階段のための踏み板養生材であって、
前記踏み板養生材は、前記踏み板を覆う踏み板カバー部と、前記立上り部に対応して前記踏み板カバー部の段鼻側縁部に設けられるとともに、対峙する２つの垂下片からなる前記立上り部の係合挿入部と、前記踏み板カバー部の蹴込み側縁部に設けられた脚用垂下片部とからなることを特徴とする鉄骨階段用踏み板養生材。
【請求項２】
前記踏み板養生材は、両側縁部に垂下片を有する断面コ字状の鋼板材とし、一方側の垂下片の内側に垂下片を追加し、前記係合挿入部を形成してある請求項１記載の鉄骨階段用踏み板養生材。
【請求項３】
前記係合挿入部の端部において、２つの垂下片の内の少なくとも一方側が挿入溝を拡大させる方向に折曲げられている請求項１，２いずれかに記載の鉄骨階段用踏み板養生材。
【請求項４】
前記踏み板養生材の鋼板材として、縞鋼板又は床用鋼板を用いる請求項２記載の鉄骨階段用踏み板養生材。
【発明の詳細な説明】
【技術分野】
【０００１】
本発明は、建物の建設中に、鉄骨階段の踏み板部分を養生するための踏み板養生材に関する。
【背景技術】
【０００２】
ビル等の建設工事においては、鉄骨階段が作業員の出入りや建築資材の搬入用として利用される。そのため、建設中は、作業員が躓いたり、泥等により踏み板面が汚れないように養生材によって養生が行われる。
【０００３】
前記鉄骨階段３０は、図６に示されるように、側桁３１，３１間に一定間隔で踏み板３２，３２…を横架することにより組み立てられている。前記踏み板３２は、図７に示されるように、踏み面３３と、この踏み面３３の奥側縁部に上方側に起立するように連続して設けられる蹴込み板３４と、前記踏み面３３の段鼻部に連続して設けられる立上り部３５とから構成されており、蹴込み板３４、踏み面３３及び前記立上り部３５によって構成される凹部内に、メッシュ筋を敷設した後、コンクリート又はモルタルが打設されることにより仕上げられる。
【０００４】
従って、前記鉄骨階段の養生材としては、前記立上り部３５で作業員が躓かないようにするため、前記立上り部３５の起立寸法に相当する厚みを有するコンパネや桟木などの木材を敷設して養生を行っていた。
【０００５】
しかし、単に木材を敷設するのみでは、滑りやぐらつきが生じて危険である、騒音が発生するなどの問題があったため、下記特許文献１では、養生板を固定するための取付金具として、図８に示されるように、階段踏面部に敷き込まれる養生板Ｐの裏面に沿いかつ板幅方向に指向して固着される主板部３７と、主板部３７の前端部に立設され、前記立上り部に係合して主板部３７を鉄骨踏板上に間隔を置き保持し固定するフック部３８と、主板部３７の後端部に垂設されて主板部３７を踏板上に間隔を置き保持する間隔保持部３９を具備した取付金具３６が提案されている。
【特許文献１】実開平５−８３２１２号公報
【発明の開示】
【発明が解決しようとする課題】
【０００６】
確かに、前記特許文献１記載の養生板取付金具を使用することにより、養生板を動かないように固定することが可能となるが、踏み板３２の立上り部３５の起立寸法は、一応の規格はあるものの、階段毎に寸法差があるため、立上り部を残さないようにするには、立上り寸法に合わせた養生板の手配が必要となるため、その手配が非常に煩雑であるなどの問題があるとともに、養生板は工事完了後には廃材処理されるため、その処理にコストが掛かるようになるなどの問題が依然としてあった。
【０００７】
そこで本発明の主たる課題は、踏み板の段鼻部に設けられた立上り部の寸法に拘わらず、立上り部を作らないように養生が可能であるとともに、廃材を無くしかつ他の建設現場でも再利用が可能な鉄骨階段の踏み板養生材を提供することにある。
【課題を解決するための手段】
【０００８】
前記課題を解決するために請求項１に係る本発明として、踏み面の少なくとも段鼻部に長手方向に沿って上方側に起立する立上り部が設けられ、蹴込み板、踏み面及び前記立上り部によって構成される凹部内にコンクリート又はモルタルが打設されることにより仕上げられる鉄骨階段のための踏み板養生材であって、
前記踏み板養生材は、前記踏み板を覆う踏み板カバー部と、前記立上り部に対応して前記踏み板カバー部の段鼻側縁部に設けられるとともに、対峙する２つの垂下片からなる前記立上り部の係合挿入部と、前記踏み板カバー部の蹴込み側縁部に設けられた脚用垂下片部とからなることを特徴とする鉄骨階段用踏み板養生材が提供される。
【０００９】
上記請求項１記載の発明においては、前記構造の鉄骨階段のための踏み板養生材として、前記踏み板を覆う踏み板カバー部と、前記立上り部に対応して前記踏み板カバー部の段鼻側縁部に設けられるとともに、対峙する２つの垂下片からなる前記立上り部の係合挿入部と、前記踏み板カバー部の蹴込み側縁部に設けられた脚用垂下片部とからなる構造の養生材とするものである。
【００１０】
したがって、以下の作用効果を奏することができる。
(1)前記踏み板養生材の係合挿入部に、踏み板の立上り部を挿入するようにして設置するだけで、踏み板養生材をガタツキ無く設置することができ、安全性を高めることができる。
(2)前記係合挿入部に踏み板の立上り部を挿入させるようにして取付けるため、立上り部の寸法に拘わらず、すべての鉄骨階段で立上り部を作らないように養生が可能である。
(3)構造的には、板材に２つの垂下片からなる前記係合挿入部と、脚用垂下片部とを設けるだけの単純な構造であるため製作が容易である。また、木材等の養生板も不要となる。
(4)使用後には他の建設現場への転用が可能であるとともに、廃材が出ないため経済的となる。
【００１１】
請求項２に係る本発明として、前記踏み板養生材は、両側縁部に垂下片を有する断面コ字状の鋼板材とし、一方側の垂下片の内側に垂下片を追加し、前記係合挿入部を形成してある請求項１記載の鉄骨階段用踏み板養生材が提供される。
【００１２】
請求項３に係る本発明として、前記係合挿入部の端部において、２つの垂下片の内の少なくとも一方側が挿入溝を拡大させる方向に折曲げられている請求項１，２いずれかに記載の鉄骨階段用踏み板養生材が提供される。
【００１３】
上記請求項３記載の発明においては、係合挿入部の端部において、２つの垂下片の内の少なくとも一方側が挿入溝を拡大させる方向に折曲げられているため、係合挿入部の挿入溝に対する立上り部の挿入が行い易くなる。
【００１４】
請求項４に係る本発明として、前記踏み板養生材の鋼板材として、縞鋼板又は床用鋼板を用いる請求項２記載の鉄骨階段用踏み板養生材が提供される。
【００１５】
上記請求項４記載の発明においては、前記踏み板養生材の鋼板材として、縞鋼板又は床用鋼板を用いるため、滑りを確実に防止することができる。
【発明の効果】
【００１６】
以上詳説のとおり本発明によれば、踏み板の段鼻部に設けられた立上り部の寸法に拘わらず、立上り部を作らないように養生が可能であるとともに、廃材を無くしかつ他の建設現場でも再利用が可能である等の利点を備えた鉄骨階段の踏み板養生材を得ることができる。
【発明を実施するための最良の形態】
【００１７】
以下、本発明の実施の形態について図面を参照しながら詳述する。
【００１８】
図１は本発明に係る踏み板養生材を設けた鉄骨階段１の全体斜視図であり、図２は踏み板３に踏み板養生材７を取り付けた状態を示す斜視図である。
【００１９】
ビル等の建設工事において、昇降路として設けられる鉄骨階段１は、作業員の出入りや建築資材の搬入口として利用される。
【００２０】
前記鉄骨階段１は、図１に示されるように、斜上方向に延びる側桁２，２間に一定間隔で複数の踏み板３、３…を横架させた構造のもので、前記踏み板３は、図２に示されるように、踏み面４と、この踏み面４の奥側縁部に長手方向に沿って上方側に起立して設けられた蹴込み板５と、前記踏み板３の段鼻部（先端部）に設けられた立上り部６とからなる断面略Ｌ字状の鋼部材からなるものである。なお、一般的には前記立上り部６の起立寸法は、前記蹴込み板５の起立寸法よりも小さく設定されている。
【００２１】
前記踏み板３は、建設途中に、作業員が躓いたり、前記踏み面４が汚れるのを防止するために本発明に係る踏み板養生材７が設けられ、建設完了時には前記蹴込み板５，踏み面４及び前記立上り部６及び側桁２，２によって構成される凹部３ａ内に、コンクリート又はモルタルが前記立上り部６の天端まで打設されることにより仕上げられるようになっている。
【００２２】
なお、前記側桁２，２には、手摺り（図示せず）が設けられ、落下防止が図られるようになっている。
【００２３】
前記踏み板養生材７は、詳細には図２〜図４に示されるように、前記踏み面４の大部分又はほぼ全面を覆う踏み板カバー部８と、前記立上り部６に対応して踏み板カバー部８の段鼻側縁部に設けられるとともに、対峙する２つの第１垂下片９ａ、第２垂下片９ｂからなる前記立上り部６の係合挿入部９と、前記踏み板カバー部８の蹴込み側縁部に設けられた脚用垂下片部１０とからなる部材である。
【００２４】
図示される前記踏み板養生材７は、縞鋼板又は床用鋼板を基本部材として、この板材の長手方向縁部を夫々屈曲加工することにより、前記第１垂下片９ａと、脚用垂下片部１０とを形成し、前記第１垂下片９ａの内側に、断面Ｌ字状部材（アングル）９Ａをスポット溶接等により固設して第２垂下片９ｂを設けることにより、部材長手方向に沿ってスリット状の溝９ｃを形成し、前記係合挿入部９を構成するようにしたものである。
【００２５】
なお、前記縞鋼板は、厚さ３．２〜１４．０mmの鋼板の表面に菱形の縞の山７ａ又は溝を付けた鋼板であり、前記床用鋼板は高さ２mm程度、幅約９mm、長さ約３０mmの小突起７ａを規則的に形成した鋼板であり、いずれも床や階段踏み板などとして使用されるものである。
【００２６】
前記踏み板養生材７は、図３に示されるように、設置状態で踏み板３の長手寸法に対して、両側に夫々、Ｓ１：２０〜３０mm程度の余裕代を見込み、かつ踏み板３の踏み面寸法（短手寸法）に対して、Ｓ２：２０〜３０mmの余裕代を見込んだ平面寸法とするのが望ましい。周囲に２０〜３０mm程度の余裕を見込んだ寸法とすることにより、踏み板３に対する着脱が容易に行えるようになるとともに、数多くの階段寸法に対応可能とすることができる。
【００２７】
前記踏み板養生材７を前記踏み板３に取り付けるには、図２に示されるように、係合挿入部９に踏み板３の立上り部６を挿入するようにしながら載置するだけで容易に設置することが可能である。
【００２８】
ところで、設置状態では、図４に示されるように、脚用垂下片部１０側が段鼻部よりも高くなるように各寸法を設定し、排水勾配ｉが形成されるようにするのが望ましい。排水勾配ｉにより養生材踏み面８上の雨水等が効果的に排水され、滑り等を防止できるようになる。
【００２９】
〔他の形態例〕
(1)上記形態例においては、係合挿入部９を構成する第１垂下片９ａおよび第２垂下片９ｂはいずれも踏み板カバー部８から鉛直に垂下させているが、図５に示されるように、前記２つの垂下片９ａ、９ｂの内の少なくとも一方側の端部を、挿入溝９ｃの溝幅を拡大させる方向に折り曲げるように形成してもよい。このように係合挿入部９の端部の溝幅を拡大させることにより、踏み板３の立上り部６を挿入溝９ｃに挿入し易くなる。
(2)上記形態例においては、縞鋼板又は床用鋼板を用いて踏み板養生材７を製作したが、他の材料、例えば樹脂（プラスチック）等によって本発明に係る踏み板養生材７を製作するようにしてもよい。この場合は、踏み板カバー部８の上面には、小突起を多数設けるようにして滑り等が無くなるようにするのが望ましい。
(3)上記形態例では、踏み板カバー部８の蹴込み側縁部を屈曲加工することにより脚用垂下片部１０を形成するようにしたが、例えば断面Ｌ字状部材（アングル）を溶接等に固設することにより、前記脚用垂下片部１０を形成するようにしてもよい。
【図面の簡単な説明】
【００３０】
【図１】本発明に係る踏み板養生材を設けた鉄骨階段１の全体斜視図である。
【図２】踏み板３に踏み板養生材７を取り付けた状態を示す斜視図である。
【図３】その平面図である。
【図４】その縦断面図である。
【図５】踏み板養生材７の変形例を示す垂下片９ａ端部を示す要部斜視図である。
【図６】鉄骨階段３０の斜視図である。
【図７】鉄骨階段３０の踏み板３２の縦断面図である。
【図８】従来例に係る養生板固定取付金具３６を示す斜視図である。
【符号の説明】
【００３１】
１…鉄骨階段、２…側桁、３…踏み板、４…踏み面、５…蹴込み板、６…立上り部、７…踏み板養生材、８…踏み板カバー部、９…係合挿入部、９Ａ…断面Ｌ字状部材（アングル）、９ａ…第１垂下片、９ｂ…第２垂下片、９ｃ…挿入溝、１０…脚用垂下片部
【図１】
2006063598.tif 000003
【図２】
2006063598.tif 000004
【図３】
2006063598.tif 000005
【図４】
2006063598.tif 000006
【図５】
2006063598.tif 000007
【図６】
2006063598.tif 000008
【図７】
2006063598.tif 000009
【図８】
2006063598.tif 000010